(57)【要約】【課題】実際の店舗で手を触れた商品を、当該店舗でもインターネット上でも容易に購入することのできる販売促進装置、情報処理装置、情報処理システム、販売促進方法及びプログラムを提供する。【解決手段】販売促進装置１０は、ユーザ情報並びに商品の画像及び情報を記憶する記憶部１３０と、来店したユーザ６を識別するユーザ情報取得部１２１と、来店したユーザ６が商品５１に手を触れたときの画像に基づいて、手を触れた商品５１を識別し、手を触れた商品５１の情報を取得する商品情報取得部１２２と、ユーザごとに購入候補商品データを管理し、取得した商品の情報を識別したユーザ６の購入候補商品データに追加する購入情報管理部１２３とを備える。【選択図】図１
2018173968.tif 000002
【特許請求の範囲】
【請求項１】
来店したユーザを識別するユーザ情報識別部と、
前記来店したユーザが手を触れた商品または手に取った商品をユーザ購入候補商品情報として識別するユーザ購入候補商品情報識別部と、
前記ユーザ購入候補商品情報を管理する購入情報管理部とを備え、
前記購入情報管理部は、前記来店したユーザの動作に基づいて、前記ユーザ購入候補商品情報の表示順位を設定する情報処理装置。
【請求項２】
前記来店したユーザの携帯端末からのアクセスに応じて、前記ユーザ購入候補商品情報を前記携帯端末へ出力する出力部
を更に備える請求項１記載の情報処理装置。
【請求項３】
前記来店したユーザが会計する際に、店舗内に設置された表示装置における前記ユーザ購入候補商品情報の表示を制御する表示制御部
を更に備える請求項１記載の情報処理装置。
【請求項４】
来店したユーザを識別するユーザ情報識別部と、
前記来店したユーザが手を触れた商品または手に取った商品をユーザ購入候補商品情報として識別するユーザ購入候補商品情報識別部と、
前記ユーザ購入候補商品情報を管理する購入情報管理部とを備え、
前記購入情報管理部は、前記来店したユーザが棚に戻した商品の情報を、前記ユーザ購入候補商品情報から削除し、且つ、前記来店したユーザの動作に基づいて、前記ユーザ購入候補商品情報の表示を制御する情報処理装置。
【請求項５】
前記購入情報管理部は、来店した前記ユーザの動作に基づいて、前記ユーザ購入候補商品情報の表示順位を設定する請求項４記載の情報処理装置。
【請求項６】
前記ユーザの動作には、前記来店したユーザの発声が含まれる請求項１乃至請求項５のいずれか１項記載の情報処理装置。
【請求項７】
前記購入情報管理部は、前記ユーザ購入候補商品情報に対応する関連商品の情報を検索して、前記来店したユーザの関連商品の情報として管理する請求項１乃至請求項６のいずれか１項記載の情報処理装置。
【請求項８】
来店したユーザを識別するユーザ情報識別部と、
前記来店したユーザが手を触れた商品または手に取った商品をユーザ購入候補商品情報として識別するユーザ購入候補商品情報識別部と、
前記ユーザ購入候補商品情報を管理する購入情報管理部とを備え、
前記購入情報管理部は、前記来店したユーザの動作に基づいて、前記ユーザ購入候補商品情報の表示順位を設定する情報処理システム。
【請求項９】
来店したユーザを識別するユーザ情報識別部と、
前記来店したユーザが手を触れた商品または手に取った商品をユーザ購入候補商品情報として識別するユーザ購入候補商品情報識別部と、
前記ユーザ購入候補商品情報を管理する購入情報管理部とを備え、
前記購入情報管理部は、前記来店したユーザが棚に戻した商品の情報を、前記ユーザ購入候補商品情報から削除し、且つ、前記来店したユーザの動作に基づいて、前記ユーザ購入候補商品情報の表示を制御する情報処理システム。
【請求項１０】
販売促進装置が実行する販売促進方法であって、
来店したユーザを識別するステップと、
前記来店したユーザが手を触れた商品または手に取った商品をユーザ購入候補商品情報として識別するユーザ購入候補商品情報識別ステップと、
前記ユーザ購入候補商品情報を管理する購入情報管理ステップとを備え、
前記購入情報管理ステップでは、前記来店したユーザの動作に基づいて、前記ユーザ購入候補商品情報の表示順位を設定する販売促進方法。
【請求項１１】
販売促進装置が実行する販売促進方法であって、
来店したユーザを識別するステップと、
前記来店したユーザが手を触れた商品または手に取った商品をユーザ購入候補商品情報として識別するユーザ購入候補商品情報識別ステップと、
前記ユーザ購入候補商品情報を管理する購入情報管理ステップとを備え、
前記購入情報管理ステップでは、前記来店したユーザが棚に戻した商品の情報を、前記ユーザ購入候補商品情報から削除し、且つ、前記来店したユーザの動作に基づいて、前記ユーザ購入候補商品情報の表示を制御する販売促進方法。
【請求項１２】
コンピュータに、
来店したユーザを識別する手順と、
前記来店したユーザが手を触れた商品または手に取った商品をユーザ購入候補商品情報として識別するユーザ購入候補商品情報識別手順と、
前記ユーザ購入候補商品情報を管理する購入情報管理手順と
を実行させるためのプログラムであって、
前記購入情報管理手順では、前記来店したユーザの動作に基づいて、前記ユーザ購入候補商品情報の表示順位を設定するプログラム。
【請求項１３】
コンピュータに、
来店したユーザを識別する手順と、
前記来店したユーザが手を触れた商品または手に取った商品をユーザ購入候補商品情報として識別するユーザ購入候補商品情報識別手順と、
前記ユーザ購入候補商品情報を管理する購入情報管理手順と
を実行させるためのプログラムであって、
前記購入情報管理手順では、前記来店したユーザが棚に戻した商品の情報を、前記ユーザ購入候補商品情報から削除し、且つ、前記来店したユーザの動作に基づいて、前記ユーザ購入候補商品情報の表示を制御するプログラム。
【発明の詳細な説明】
【技術分野】
【０００１】
本発明は販売促進装置、情報処理装置、情報処理システム、販売促進方法及びプログラムに関する。
【背景技術】
【０００２】
ネットショッピングが日常的なものとなりつつある。特許文献１には、インターネット上の仮想店舗での買い物でありながら、実際の店舗での買い物に近い雰囲気を出すことのできる電子ショッピングシステムが開示されている。
【先行技術文献】
【特許文献】
【０００３】
【特許文献１】特開２００７−１２２２４８号公報
【発明の概要】
【発明が解決しようとする課題】
【０００４】
上述のように、背景技術に係るネットショッピングでは、実際の店舗での買い物に近い雰囲気を楽しむことができる。しかしながら、ネットショッピングと実際の店舗での買い物とは、これまで融合することなく、それぞれ別々に存在していた。
【０００５】
このために、実際の店舗でワインを購入した客が、チーズやワインセラーなどのワインの関連商品も見て回ったが、大きさ、重さなどの理由により購入を断念したときに、後日これらの見て回った商品をネットショッピングで購入しようとすると、当該商品を検索したり、商品番号（商品コード）を入力したりする手間が必要となり、結局、購入を断念するようなことがあった。
【０００６】
本発明は、このような問題を解決するためになされたものであり、ユーザが実際の店舗で手を触れた商品を、当該店舗でもインターネット上でも容易に購入することのできる販売促進装置、情報処理装置、情報処理システム、販売促進方法及びプログラムを提供することを目的とする。
【課題を解決するための手段】
【０００７】
本発明に係る販売促進装置は、ユーザ情報並びに商品の画像及び情報を記憶する記憶部と、来店したユーザを識別するユーザ情報取得部と、前記来店したユーザが商品に手を触れたときの画像に基づいて、前記手を触れた商品を識別し、前記手を触れた商品の情報を取得する商品情報取得部と、ユーザごとに購入候補商品データを管理し、前記取得した商品の情報を前記識別したユーザの購入候補商品データに追加する購入情報管理部とを備えるものである。
【０００８】
また、本発明に係る情報処理装置は、ユーザ情報並びに商品の画像及び情報を記憶する記憶部と、来店したユーザを識別した情報を取得するユーザ情報取得部と、前記来店したユーザが商品に手を触れたときの画像に基づいて、前記手を触れた商品を識別し、前記手を触れた商品の情報を取得する商品情報取得部と、ユーザごとに購入候補商品データを管理し、前記取得した商品の情報を前記識別したユーザの購入候補商品データに追加する購入情報管理部とを備えるものである。
【０００９】
また、本発明に係る情報処理システムは、来店したユーザを識別するユーザ情報取得部と、前記来店したユーザが商品に手を触れたときの画像に基づいて、前記手を触れた商品を識別し、前記手を触れた商品の情報を取得する商品情報取得部とを有する販売促進装置と、ユーザ情報並びに商品の画像及び情報を記憶する記憶部と、ユーザごとに購入候補商品データを管理し、前記取得した商品の情報を前記識別したユーザの購入候補商品データに追加する購入情報管理部とを有する情報処理装置と、を備えるものである。
【００１０】
また、本発明に係る販売促進方法は、販売促進装置が実行する販売促進方法であって、ユーザ情報並びに商品の画像及び情報を記憶するステップと、ユーザごとに購入候補商品データを管理するステップと、来店したユーザを識別するステップと、前記来店したユーザが商品に手を触れたときの画像に基づいて、前記手を触れた商品を識別し、前記手を触れた商品の情報を取得するステップと、前記取得した商品の情報を前記識別したユーザの購入候補商品データに追加するステップとを有するものである。
【００１１】
また、本発明に係るプログラムは、コンピュータに、ユーザ情報並びに商品の画像及び情報を記憶する手順と、ユーザごとに購入候補商品データを管理する手順と、来店したユーザを識別する手順と、前記来店したユーザが商品に手を触れたときの画像に基づいて、前記手を触れた商品を識別し、前記手を触れた商品の情報を取得する手順と、前記取得した商品の情報を前記識別したユーザの購入候補商品データに追加する手順とを実行させるものである。
【発明の効果】
【００１２】
本発明により、ユーザが実際の店舗で手を触れた商品を、当該店舗でもインターネット上でも容易に購入することのできる販売促進装置、情報処理装置、情報処理システム、販売促進方法及びプログラムを提供することができる。
【図面の簡単な説明】
【００１３】
【図１】実施の形態１に係る販売促進装置１０の概略構成を示すブロック図である。
【図２】実施の形態１に係る販売促進装置１０の販売促進方法の処理手順を示すフローチャートである。
【図３】実施の形態１に係るカメラ２０が商品棚４０の前のユーザ６を撮像する様子を示す図である。
【図４】実施の形態１に係るカメラ２０がレジ７０の前のユーザ６を撮像する様子を示す図である。
【図５】実施の形態１に係るレジ端末３０の表示画面３１を示す図である。
【図６】実施の形態１に係る情報処理部１２０の詳細構成を示すブロック図である。
【発明を実施するための形態】
【００１４】
（発明の実施の形態１）
次に、図面を参照して本実施の形態１に係る販売促進装置について説明する。
本実施の形態１に係る販売促進装置は、店舗でユーザ（来店者）が手を触れた商品を認識して当該ユーザの購入候補商品として登録し、当該ユーザがその店舗でも、インターネット上でも購入できるようにするものである。
【００１５】
まず、本実施の形態１に係る販売促進装置の構成について説明する。
図１は、本実施の形態１に係る販売促進装置１０の概略構成を示すブロック図である。
販売促進装置１０は店舗１内に設置されたサーバであり、信号線を介して店舗１内のカメラ２０及びレジ端末３０と接続され、また、ネットワーク２を介して店舗１外のユーザの携帯端末３、ユーザの自宅パソコン（ＰＣ）４、他店舗５などと接続されている。ネットワーク２は、例えばインターネットである。
【００１６】
販売促進装置１０は、入力部１１０、情報処理部１２０、記憶部１３０、出力部１４０などを備えている。
入力部１１０は、カメラ２０が撮影したユーザまたはユーザが手を触れた商品の静止画または動画を、カメラ２０から入力する。また、入力部１１０は、レジ端末３０から、または、ネットワーク２を介してユーザの携帯端末３、自宅パソコン４、他店舗５の端末などから当該ユーザの購入情報、配送指示情報などを入力する。
【００１７】
情報処理部１２０は、入力部１１０が入力した画像に基づいて、ユーザまたは当該ユーザが手を触れた商品を認識し、認識したユーザまたは商品の情報を取得する。また、情報処理部１２０は、ユーザが手を触れた商品の関連商品の情報を記憶部１３０で検索して取得する。また、情報処理部１２０は、入力部１１０が入力したユーザの購入情報及び配送指示情報に基づいて、代金の請求や配送の手配などを行う。
【００１８】
記憶部１３０は、例えば、データベースであり、ユーザごとに、名前・性別などの属性、画像、購入候補商品群データ、関連商品群データなどの情報を記憶している。また、記憶部１３０は、店舗１で扱う商品ごとに、商品名・値段などの属性、画像、関連商品などの情報を記憶している。
【００１９】
出力部１４０は、ユーザが会計に来たときに、レジ端末３０に当該ユーザの購入候補商品群データ、関連商品群データを表示する。また、出力部１４０は、ユーザが携帯端末３、自宅パソコン４、他店舗５の端末などからネットワーク２を介して販売促進装置１０にアクセスしてきたときに、当該ユーザの購入候補商品群データ、関連商品群データを出力して返す。
【００２０】
なお、販売促進装置１０が実現する各構成要素は、例えば、コンピュータである販売促進装置１０が備える演算装置（図示せず）の制御によって、プログラムを実行させることによって実現できる。より具体的には、販売促進装置１０は、記憶部１３０に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア、及びソフトウェアのうちのいずれかの組み合わせ等により実現しても良い
【００２１】
上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００２２】
また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２３】
つぎに、本実施の形態１に係る販売促進装置１０の動作について説明する。
図２は、本実施の形態１に係る販売促進装置１０の販売促進方法の処理手順を示すフローチャートである。図３は、本実施の形態１に係るカメラ２０が商品棚４０の前のユーザ（来店者）６を撮像する様子を示す図である。販売促進装置１０は店舗１の開店とともに処理を開始する。
【００２４】
カメラ２０が商品棚４０の前に立ってワイン５０を選択しているユーザ６を撮像すると、その画像は入力部１１０を介して情報処理部１２０に送られる。カメラ２０は、各商品棚４０の近くに設置されている。情報処理部１２０は、カメラ２０が撮像したユーザ６の画像と、記憶部１３０が記憶している各ユーザの画像とをパターンマッチングして、商品棚４０の前に立つユーザ６を識別する（ステップＳ１０）。各ユーザの画像は、当該ユーザが会員登録するときや当日入店したときに、複数の視点から撮像し、記憶部１３０にて登録して記憶する。
【００２５】
また、ユーザ６が手に取ったワイン５１の画像、または、ユーザ６が手を触れたワイン５２（図示せず）の画像も情報処理部１２０に送られる（ステップＳ２０）。ユーザ６が手に取ったワイン５１、ユーザ６が手を触れたワイン５２は、以降、ユーザ６の「購入候補商品」として扱われる。購入候補商品とは、ユーザ６が購入する可能性が高い商品のことである。
【００２６】
情報処理部１２０は、ユーザ６が手に取ったワイン５１の画像、または、ユーザ６が手を触れたワイン５２の画像と、記憶部１３０が記憶している各商品の画像とをパターンマッチングして、ワイン５１、５２を識別し、ワイン５１、５２の情報を取得する（ステップＳ３０）。各商品の画像も、あらかじめ複数の視点から撮像し、記憶部１３０に登録して記憶する。
【００２７】
なお、ユーザ６、ワイン５１、５２、ユーザ６が手に取る動作、ユーザ６が手を触れる動作などは、現在の画像認識技術により、十分に識別することができる。
また、ユーザ６、ワイン５１、５２は、ＲＦＩＤなどの近距離通信技術により、識別することもできる。
【００２８】
情報処理部１２０は、取得したワイン５１、５２の情報を、記憶部１３０が記憶しているユーザ６の購入候補商品群データに追加する（ステップＳ４０）。購入候補商品群データとは、ユーザが手に取った、または、ユーザが手を触れた商品の情報を集めたもので、ユーザが購入する可能性が高い商品の情報の集合である。
【００２９】
また、情報処理部１２０は、ワイン５１、５２について、記憶部１３０が記憶しているワイン５１、５２の関連商品の情報を検索して取得する（ステップＳ５０）。関連商品とは、店舗１が扱っている各商品について、当該商品と合わせて購入することを勧める商品であって、例えば、ワイン５１、５２の関連商品としては、チーズやワインセラーなどが登録されている。
【００３０】
情報処理部１２０は、取得した関連商品の情報を、記憶部１３０が記憶しているユーザ６の関連商品群データに追加する（ステップＳ６０）。関連商品群データとは、ユーザが手に取った、または、ユーザが手を触れた商品の関連商品の情報を集めたもので、店舗１が購入することを当該ユーザに勧める商品の情報の集合である。
【００３１】
つぎに、情報処理部１２０は、ユーザ６がレジに会計に来たかを判断する（ステップＳ７０）。
図４は、本実施の形態１に係るカメラ２０がレジ７０の前のユーザ６を撮像する様子を示す図である。情報処理部１２０は、カメラ２０が撮像した画像と、記憶部１３０が記憶しているユーザ６の画像とをパターンマッチングして、レジ７０にユーザ６が会計に来たかを判断する。情報処理部１２０は、ユーザ６が会計に来ていないと判断すると（ステップＳ７０のＮｏ）、ステップＳ１０に戻り、ステップＳ１０〜ステップＳ７０の処理を繰り返す。
【００３２】
一方、情報処理部１２０は、ユーザ６が会計に来たと判断すると（ステップＳ７０のＹｅｓ）、レジ７０に設置されたレジ端末３０に購入候補商品群データ及び関連商品群データを表示する（ステップＳ６０）。レジ端末３０は、例えばタッチパネルである。
【００３３】
図５は、本実施の形態１に係るレジ端末３０の表示画面３１を示す図である。表示画面３１には、購入候補商品群データ３２が「ご購入候補品」として、また、関連商品群データ３３が「おすすめ品」として、それぞれの商品の「商品名」「商品番号（商品コード）」「値段」などをリスト形式で表示する。表示画面３１には、商品の画像を表示することもできる。ユーザ６がレジ７０に来た当初は、「数量」「購入」の欄は空欄になっているが、店員（図示せず）が籠６０に入れた商品をレジ端末３０に通したときや、籠６０に入っていない商品であっても、ユーザ６がレジ端末３０を操作して購入手続きをしたときに入力される。同様に、「配送」の欄も当初は空欄になっているが、ユーザ６がレジ端末３０を操作して当該商品の配送を指示したときに入力される。
【００３４】
つぎに、会計が終了すると、情報処理部１２０は、ユーザ６の購入情報及び配送情報を取得し（ステップＳ９０）、代金の請求や配送の手配などを行う（ステップＳ１００）。
以上により、ユーザ６が実際の店舗１で手を触れた商品を、当該店舗１で購入する処理が終了する。ユーザ６は、店舗１において手に取ったり、手を触れたりしたが、大きい、重たいなどの理由により購入を躊躇した商品を、籠６０に入れることなく購入し、かつ、配送してもらうことができる。
【００３５】
また、本実施の形態１に係る販売促進装置１０は、ネットショッピングにも対応してＷｅｂ通販決済機能を備えており、上述したように、ネットワーク２を介して店舗１外のユーザの携帯端末３、自宅パソコン４、他店舗５の端末などと接続されており、ユーザ６が携帯端末３などからネットワーク２を介してアクセスしてきたときに、当該端末３などに購入候補商品群データ、関連商品群データを出力して返すものである。
【００３６】
このため、ユーザ６は、図５に示したレジ端末３０の表示画面３１と同様のものを携帯端末３などに表示して、当該端末３などを操作して商品の購入手続きや商品の配送指示をすることができる。以降、情報処理部１２０が、ユーザ６の購入情報及び配送情報を取得して、代金の請求や配送の手配などを行うのは、店舗１のときと同様である。
【００３７】
以上により、ユーザ６が実際の店舗１で手を触れた商品を、インターネット上で購入する処理が終了する。ユーザ６は、店舗１において手に取ったり、手を触れたりしたが、購入を断念した商品を、後日、自宅、外出先などで当該商品を検索するなどの手間をかけることなく、容易に購入することができる。
【００３８】
なお、本実施の形態１に係る情報処理部１２０は、その果たす機能ごとの処理部を備えていても良い。
図６は、本実施の形態１に係る情報処理部１２０の詳細構成を示すブロック図である。情報処理部１２０は、ユーザ情報取得部１２１、商品情報取得部１２２、購入情報管理部１２３などを備えている。
【００３９】
ユーザ情報取得部１２１は、カメラ２０が撮像した画像を画像認識してユーザ６を識別し、ユーザ６の情報を取得する。また、ユーザ情報取得部１２１は、カメラ２０が撮像した画像を画像認識してユーザ６の動作を識別する。また、ユーザ情報取得部１２１は、マイク（図示せず）が集音したユーザ６の発声を音声認識する。
商品情報取得部１２２は、ユーザ６が商品に手を触れたときの画像を認識し、ユーザ６が手を触れた商品を識別して、当該商品の情報を取得する。
【００４０】
購入情報管理部１２３はユーザごとに購入候補商品データを管理し、ユーザの商品に手を触れる、商品を手に取るなど動作に基づいて、購入候補商品データを追加または削除する。また、購入情報管理部１２３はユーザごとに関連商品データを管理し、ユーザ６が手を触れた商品の関連商品の情報を取得して、関連商品データに追加する。また、購入情報管理部１２３は、ユーザ６の購入情報及び配送情報を取得して、代金の請求や配送の手配などを行う
【００４１】
上述したように、本実施の形態１に係る販売促進装置１０は、ユーザ情報並びに商品の画像及び情報を記憶する記憶部１３０と、来店したユーザ６を識別するユーザ情報取得部１２１と、来店したユーザ６が商品５１に手を触れたときの画像に基づいて、手を触れた商品５１を識別し、手を触れた商品５１の情報を取得する商品情報取得部１２２と、ユーザごとに購入候補商品データを管理し、取得した商品５１の情報を識別したユーザ６の購入候補商品データに追加する購入情報管理部１２３とを備えるものである。このような構成により、実際の店舗１で手を触れた商品５１を、当該店舗１でもインターネット上でも容易に購入することができる。
【００４２】
また、本実施の形態１に係る販売促進装置１０は、記憶部１３０が商品ごとに関連する商品である関連商品の情報をさらに記憶し、購入情報管理部１２３は、ユーザごとに関連商品データをさらに管理し、取得した商品５１の情報に対応する関連商品の情報を検索して識別したユーザ６の関連商品データに追加することが好ましい。
【００４３】
また、本実施の形態１に係る販売促進装置１０は、購入情報管理部１２３が、識別したユーザ６が会計に来たとき、または、識別したユーザ６がネットワーク２を介して情報を要求したときに、購入候補商品データを出力することが好ましい。
【００４４】
（その他の発明の実施の形態）
なお、本発明は上記実施の形態１に限られるものではなく、趣旨を逸脱しない範囲で適宜変更することが可能である。
例えば、実施の形態１に係る販売促進装置１０では、カメラ２０は各商品棚４０の近くに設置されているとしたが、籠６０にカメラ２０を設置するなど、カメラ２０を別の場所に設置するようにしても良い。
【００４５】
また、実施の形態１に係る販売促進装置１０では、ユーザ６が商品に触れたとき、または、ユーザ６が商品を手に取ったときに、ユーザ６が当該商品を購入する可能性が高いと判断したが、ユーザ６がその他の動作をしたときに、ユーザ６が当該商品を購入する可能性が高いと判断しても良い。その他の動作としては、商品を一度でも籠６０に入れたり、商品を高く掲げたり、商品を指差ししたり、商品を手に取って長時間見つめたり、「買います」と発声したり、などが考えられる。これらの動作や発声は、現在の画像認識技術、音声認識技術を用いて、十分に識別することができる。
【００４６】
また、実施の形態１に係る販売促進装置１０では、ユーザ６が商品に触れたとき、または、ユーザ６が商品を手に取ったときに、ユーザ６が当該商品を購入する可能性が高いと判断したが、さらに、ユーザ６の当該商品の購入意欲を上記したその他の動作に基づいて判断し、判断したユーザ６の購入意欲に基づいて、レジ端末３０、ユーザの携帯端末３などに表示する購入候補商品群データ、関連商品群データの商品の表示順位を入れ替えても良い。
【００４７】
また、実施の形態１に係る販売促進装置１０では、ユーザ６が商品に触れたとき、または、ユーザ６が商品を手に取ったときに、ユーザ６が当該商品を購入する可能性が高いと判断したが、さらに、ユーザ６が商品に触れ、または、ユーザ６が商品を手に取った後に、特定の動作、発声をしたときに、当該商品を購入する可能性が低いと判断し、当該商品の情報を購入候補商品群データに追加しない、または、当該商品の情報を購入候補商品群データから削除しても良い。特定の動作、発声としては、商品を商品棚に戻したり、「買いません」と発声したり、などが考えられる。
【００４８】
また、実施の形態１に係る販売促進装置１０では、店舗１内における購入候補商品群データ及び関連商品群データの表示や会計手続きなどをレジ端末３０で行ったが、商品棚４０に表示装置を設けて、購入候補商品群データ及び関連商品群データの表示や会計手続きなどを当該表示装置で行っても良い。
【００４９】
また、実施の形態１に係る販売促進装置１０は店舗１内に設置されていたが、販売促進装置１０は店舗１外に設置されていても良く、また、店舗１内外に分割して設置されていても良い。実施の形態１に係る販売促進装置１０は、情報処理装置、情報処理システムとして構成されても良い。
【００５０】
上述したように、その他の実施の形態に係る販売促進装置１０は、購入情報管理部１２３が、来店したユーザ６の特定の動作に基づいて、購入候補商品データを表示するときの、取得した商品５１の情報の表示順位を設定することが好ましい。
【００５１】
また、その他の実施の形態に係る販売促進装置１０は、購入情報管理部１２３が、来店したユーザ６の特定の動作に基づいて、取得した商品５１の情報を購入候補商品情報に追加しない、または、取得した商品５１の情報を購入候補商品情報から削除することが好ましい。
また、その他の実施の形態に係る販売促進装置１０は、特定の動作には、来店したユーザ６の発声が含まれることが好ましい。
【００５２】
また、その他の実施の形態に係る情報処理装置は、ユーザ情報並びに商品の画像及び情報を記憶する記憶部と、来店したユーザを識別した情報を取得するユーザ情報取得部と、来店したユーザが商品に手を触れたときの画像に基づいて、手を触れた商品を識別し、手を触れた商品の情報を取得する商品情報取得部と、ユーザごとに購入候補商品データを管理し、取得した商品の情報を識別したユーザの購入候補商品データに追加する購入情報管理部とを備えるものである。
【００５３】
また、その他の実施の形態に係る情報処理システムは、来店したユーザを識別するユーザ情報取得部と、来店したユーザが商品に手を触れたときの画像に基づいて、手を触れた商品を識別し、手を触れた商品の情報を取得する商品情報取得部とを有する販売促進装置と、ユーザ情報並びに商品の画像及び情報を記憶する記憶部と、ユーザごとに購入候補商品データを管理し、取得した商品の情報を識別したユーザの購入候補商品データに追加する購入情報管理部とを有する情報処理装置と、を備えるものである。
【符号の説明】
【００５４】
１  店舗
２  ネットワーク
３  ユーザ携帯端末
４  ユーザ自宅パソコン
５  他店舗
１０  販売促進装置
２０  カメラ
３０  レジ端末
１１０  入力部
１２０  情報処理部
１２１  ユーザ情報取得部
１２２  商品情報取得部
１２３  購入情報取得部
１３０  記憶部
１４０  出力部
【図１】
2018173968.tif 000003
【図２】
2018173968.tif 000004
【図３】
2018173968.tif 000005
【図４】
2018173968.tif 000006
【図５】
2018173968.tif 000007
【図６】
2018173968.tif 000008